(57)【特許請求の範囲】
【請求項１】
遊技機の裏側に設けられて島側から供給される交流電圧を複数種の直流電圧に変換する電源装置と、上記電源装置の上方に位置するように遊技機の裏側に設けられた制御回路と、上記電源装置が交流電圧を複数種の直流電圧に変換する際に発生する熱を上記制御回路にふれないように排出する排熱手段とを備え、
上記電源装置は、電源ベースプレートとこの電源ベースプレートに取付けられる蓋ケーシングとからなる電源ケース内に、交流を直流に変換するための交流直流変換部品が実装された回路基板を内蔵しており、
遊技機の裏側に取付けられた上記電源装置の上記電源ケースは、下方側に空気流入孔を有するとともに、上部側に排熱孔を有し、
上記排熱手段は、遊技機の裏側に取付けられた上記電源装置の上面との間に空間を形成する如く上記電源装置の上方側を被うように設けられた排熱ダクトを備え、
上記排熱ダクトは、遊技機の裏側外部に連通する複数の第１の排熱孔と遊技機の一方の側部側の外部に連通する複数の第２の排熱孔とを有し、
上記排熱ダクトの上部側の壁は、第２の排熱孔が設けられている一方の側部に向けて上方に傾斜する如く形成されていることを特徴とする遊技機。  
【発明の詳細な説明】
【０００１】
【発明の属する技術分野】
本発明は、パチンコ機やスロット機等の遊技機、特に、遊技機の裏側に設けられる電源装置が発生する熱の排熱に関する。
【０００２】
【従来の技術】
特開平６−４７１５６号公報では、パチンコ機等の遊技機の裏側において、制御回路とは別の場所に電源装置を取付け、島トランスと呼ばれるパチンコ店の島設備に設けられた島側トランスより供給されたＡＣ２４ボルトのような交流を電源装置（交流直流変換装置）がＤＣ５ボルト、ＤＣ１２ボルト、ＤＣ２４ボルト、ＤＣ３０ボルト等の複数の直流電圧に変換して必要とする制御回路に供給する遊技機が開示されている。
【０００３】
【発明が解決しようとする課題】
しかし、公的機関の検査容易化・不正防止等の観点から、パチンコ機等の遊技機に搭載される制御回路が、主制御，図柄制御，表示灯制御，音声制御、賞球払出制御、発射制御等の多くの機能別に分割された場合、あるいは、遊技機に搭載される電気部品が多くなる場合等、上記電源装置が変換する電力量が多くなり、電源装置が多量の熱を発生するので、この熱が、遊技機の裏側に設けられている上記制御回路や部品等に悪影響を与えてしまうという課題があった。
本発明は、電源装置が発生する熱が制御回路や部品等に悪影響を与えてしまうような事態を回避できるようにした遊技機を提供することを目的とする。
【０００４】
【課題を解決するための手段】
本発明の遊技機は、遊技機の裏側に設けられて島側から供給される交流電圧を複数種の直流電圧に変換する電源装置と、上記電源装置の上方に位置するように遊技機の裏側に設けられた制御回路と、上記電源装置が交流電圧を複数種の直流電圧に変換する際に発生する熱を上記制御回路にふれないように排出する排熱手段とを備え、上記電源装置は、電源ベースプレートとこの電源ベースプレートに取付けられる蓋ケーシングとからなる電源ケース内に、交流を直流に変換するための交流直流変換部品が実装された回路基板を内蔵しており、遊技機の裏側に取付けられた上記電源装置の上記電源ケースは、下方側に空気流入孔を有するとともに、上部側に排熱孔を有し、上記排熱手段は、遊技機の裏側に取付けられた上記電源装置の上面との間に空間を形成する如く上記電源装置の上方側を被うように設けられた排熱ダクトを備え、上記排熱ダクトは、遊技機の裏側外部に連通する複数の第１の排熱孔と遊技機の一方の側部側の外部に連通する複数の第２の排熱孔とを有し、上記排熱ダクトの上部側の壁は、第２の排熱孔が設けられている一方の側部に向けて上方に傾斜する如く形成されていることを特徴とする。
【０００５】
【発明の実施の形態】
実施の形態１
以下、図に基づいて本願の実施の形態１を説明する。
図１はパチンコ機などの遊技機の裏側と電源装置の関係を示す斜視図である。
図１において、１は遊技機の本体枠であり、この本体枠１は図外のゲージ盤と通称される遊技盤をパチンコ店の島に交換可能に取付けるための額縁状の部材である。本体枠１は、パチンコ店の島に固定される外枠２と遊技盤を取付けるための前枠３とからなり、外枠２に対して前枠３が上下の枠ヒンジ４，５により前方に片開き可能に取付けられて成る。前枠３の裏面下部のほぼ中央には流しユニット６を有する。流しユニット６は前枠３の前面側に設けられた図外の上皿に入りきれない賞球を前枠３の前面側に設けられた図外の下皿に誘導する部材である。前枠３の裏面には鋼板のような導電部材であるリアプレート１０を備える。リアプレート１０は、前枠３と類似形であるが、前枠３より縦幅が小さく、前枠３の上側に寄せられ、リアプレート１０の膨出部１１の周縁に設けられたリアフランジ部１２が前枠３の裏面に図外の止ねじにより取付けられることにより、膨出部１１と前枠３とにより囲まれた盤収納室Ｂ（図３参照）を形成する。膨出部１１の裏壁には、遊技盤の裏面に実装された部品を避ける窓１３、アウト球中継口１４、発射戻球中継口１５、賞球ガイド逃げ口１６、スピーカ音放出口１７が形成される。スピーカ音放出口１７は金属製の穴あき板１８により蓋をされる。穴あき板１８にあけられた多数の図外の小孔はスピーカ音をリアプレートの裏側に放出すると共にピアノ線と呼ばれるような不正操作部材の通過を遮断する。
【０００６】
前枠３の自由端３ｆ側に位置するリアプレート１０の一側部１０ｓ側には、前枠３を外枠２にロックあるいはアンロックするロック機構２０が組付けられる。そして、前枠３が閉じられることにより、ロック機構２０の上下のロックレバー２１，２２が外枠２の内部一側に設けられた上下の止具２３，２４に接触して下方に回転する。引続き、ロックレバー２１，２２が止具２３，２４を超えることにより、ロックレバー２１，２２がロック機構２０に内蔵されたばね力で元の位置に戻り止具２３，２４に係合する。これにより、ロック機構２０は前枠３を外枠２に開閉不能にロックする。その状態において、図外のキープレートが人為操作で前枠３の前側より施錠装置２５に差込まれて一方向に回転操作されると、施錠装置２５がロック機構２０のロックレバー２１，２２を下方に回転し止具２３，２４より外す。これにより、ロック機構２０は前枠３を外枠２に開閉可能にアンロックする。その状態のまま、前枠３が人為操作で前側に引かれることにより、前枠３が枠ヒンジ４，５を中心として片開きされる。
【０００７】
膨出部１１の裏壁の下部には、ねじ孔である複数の電源装置被取付孔部２６，２６がアウト球中継口１４よりも下部に形成されている。
【０００８】
上記盤収納室Ｂには図示しない遊技盤が収納され、この遊技盤の裏側には、後述する発射制御回路以外の主制御，図柄制御，表示灯制御，音声制御、賞球払出制御等などの制御回路や他の種々の部品が取付けられ、これらの制御回路や部品は、図７，８に示すように、リアケース２７で被われており、このリアケース２７の上方には貯留タンク２８が設けられている。
【０００９】
本願の遊技機における電源装置３０は、上記リアケース２７を避け、また、図外のアウト球皿等の島設備を避けて配置される。即ち、遊技機の裏側において、アウト球皿等の島設備より上方で、かつ、リアケース２７より下方に配置される。
【００１０】
本実施の形態１による遊技機は、イメージ的には、図７に示すように、リアプレート１０の一側部１０ｓ側に電源装置３０を取付け、そして、電源装置３０の上方側に排熱ダクト４０を設けて、矢印のように、電源装置３０が発生する熱を遊技機の一方の側部１ｓ（図１参照）側に導いて外部に排出するものである。
【００１１】
図２はリアプレート１０の裏側に電源装置３０，及び排熱手段としての排熱カバー５０を取付けた状態をリアプレート１０の一側部１０ｓ側から見た側面図、図３は図２の縦断面図（図４のＡ−Ａ断面図に相当）、図４は図２の部分を遊技機の裏側から見た図、図５は遊技機の裏側から見た電源装置と排熱カバーの関係及び空気の流れ（矢印で示す）を示す図、図６は排熱カバーの一方の側部付近を示す斜視部である。
【００１２】
上記電源装置３０は、電源ベースプレート３１とこの電源ベースプレート３１に取付けられる蓋ケーシング３２とからなる電源ケース３３内に、交流を直流に変換するための交流直流変換部品が実装された回路基板等を内蔵している。即ち、島側から供給される交流電圧を複数種の直流電圧に変換して上述した複数の制御回路に所望の直流電圧を供給する交流直流変換機能を備えるものである。従って、各制御回路を小さくでき、回路配置レイアウトの自由度が増す。
【００１３】
上記電源ベースプレート３１の上方には取付ブラケット３１ａ，３１ａが設けられており、電源装置３０は、上記取付ブラケット３１ａ，３１ａを介して上記電源装置被取付孔部２６，２６にねじ２９により取付けられる。
【００１４】
また、図５に示すように、電源ケース３３内の上部側及び左側部（あるいは右側部）にアルミニウム製等の放熱板３４が設けられている。尚、放熱板３４は、電源ケース３３の上部側にのみ設けてもよい。また、回路基板の発熱部品に近い部分に放熱板３４を設けておいてもよい。これにより、放熱効率を良くでき、電源装置３０の過熱防止効果を高めることができる。
また、図５に示すように、電源ケース３３の周囲には、多数の小径の孔が設けられており、電源ケース３３の下方側に設けられている孔が空気流入孔３５として機能し、電源ケース３３の上部側に設けられている孔が電源装置排熱孔３６として機能する。尚、電源ケース３３の上部側及び左側部（あるいは右側部）に孔を設ける場合は、電源ケース３３内の上部側及び左側部（あるいは右側部）に放熱板３４は設けなくともよい。空気流入孔３５と電源装置排熱孔３６とを形成したことにより、空冷効率を良くでき、電源装置３０の過熱防止効果を高めることができる。
ただし、放熱板３４による放熱効果と空気流入孔３５及び電源装置排熱孔３６による排熱効果の両方を効果的に得るために、これらを全て設けるようにして、電源装置３０を効果的に冷却できるように構成することが好ましい。このようにすれば、電源装置３０の過熱防止効果を一層高めることができ、安定した電源の供給が行なえるようになる。
【００１５】
５０は排熱手段としての排熱カバーであり、これはポリカーボネート，ＡＢＳ等の樹脂カバーより成る。この排熱カバー５０は、排熱ダクトを構成する排熱ダクト部分４１と板材を構成する板材部分４２と表面被い部を構成する表面被い部分４３とから成る。
【００１６】
上記排熱ダクト部分４１は、電源装置３０の上面３０ａとの間に空間Ｕを形成する如く電源装置３０の上方側を被うものであり、排熱ダクトとして機能する。これにより、電源装置３０で発生して上昇してくる熱を排熱する。
【００１７】
この排熱ダクト部分４１は、遊技機の表側とは反対側の壁４１ａに、裏側外部に連通する複数の第１の排熱孔４１ｂを有する。これにより、電源装置３０で発生して上昇してくる熱は、遊技機の裏側方向に排出される。
【００１８】
また、第１の排熱孔４１ｂの裏側外部側には、流路４１Ｘを構成する流路構成カバー４１Ｙが設けられ、上記第１の排熱孔４１ｂを介して排出された熱を上記流路４１Ｘを介して遊技機の一方の側部１ｓ側（リアプレート１０の一側部１０ｓに対応する側部側）に導くようにしている（尚、図４では、流路構成カバー４１Ｙの図示を省略している）。これにより、排熱ダクト部分４１に導かれてくる熱を遊技機の側部１ｓ側の外部に排出できるので、電源装置３０が発生する熱を、この電源装置３０より上方に設けられたリアケース２７内の制御回路等にふれないように排出することができるようになる。この流路構成カバー４１Ｙは、図６に示すように、第１の排熱孔４１ｂの上側の壁４１ａより設けられたフランジ４１ｇ上及び壁４１ａに当接するようにアングル部４１Ｙａを載置して取付けられる断面コ字状のものである。尚、排熱ダクト部分４１の上記流路構成カバー４１Ｙの終端４１Ｙｅに対応する部分には、上記流路４１Ｘを介して送られてくる熱をよりスムーズに遊技機の側部１ｓ側の外部に排出するための排出連絡路を構成する凹部４１ｈを形成してもよい。
【００１９】
また、排熱ダクト部分４１は、一方の側部側（リアプレート１０の一側部１０ｓ側）の壁４１ｃに、遊技機の側部１ｓ側の外部に連通する複数の第２の排熱孔４１ｄを有する。尚、第２の排熱孔４１ｄは、図２に示すように、上下方向に複数個設けるようにしてもよいし、図６に示すように、左右方向に複数個設けるようにしてもよい。これにより、排熱ダクト部分４１に導かれてくる熱を遊技機の側部１ｓ側の外部に排出できるので、電源装置３０が発生する熱を、この電源装置３０より上方に設けられたリアケース２７内の制御回路等にふれないように排出することができるようになる。
【００２０】
また、図２，４に示すように、排熱ダクト部分４１の一方の側部側より突出する如く、電源装置３０の電源スイッチ３０Ｓが設けられていて、外部から電源スイッチ３０Ｓを操作できるようになっている。尚、この電源スイッチ３０Ｓは、外部から操作できるように上記凹部４１ｈ（図６参照）に設けるようにしてもよい。
【００２１】
また、排熱ダクト部分４１の上部側の壁４１ｅ，４１ｆは、図４〜図６に示すように、上記第２の排熱孔４１ｄが設けられている一方の側部に向けて上方に傾斜する如く形成されている。これにより、排熱ダクト部分４１に導かれてきた熱を上記第２の排熱孔４１ｄにスムーズに導くことができ、排熱ダクト部分４１内に熱気が長時間こもるような事態を回避でき、効率的な排熱処理が行なえる。
【００２２】
また、排熱ダクト部分４１における遊技機の表側には、アウト通路４１０を構成するアウト通路構成部４１Ａを備えている。このように、遊技機の機能構成部品であるアウト通路構成部４１Ａ等を用いて排熱ダクト部分４１を構成しているので、専用の排熱ダクトを設けるのに比べて、省コスト化，省スペース化が図れる。
【００２３】
上記板材部分４２は、排熱ダクト部分４１における遊技機の表側とは反対側の壁４１ａより下方に延長して、電源装置３０の裏面３０ｂとの間に隙間Ｄ（＝排熱のための気道）を形成し、電源装置３０の裏面３０ｂとの間で隙間Ｄを形成する面とは反対側の面に発射制御回路アダプター６０を介して発射制御回路６１が取付けられる部分である。尚、発射制御回路６１以外の制御回路や他の部品を取付けてもよい。
【００２４】
この板材部分４２により電源装置３０の裏面３０ｂとの間に上記隙間Ｄを形成するようにしたので、電源装置３０が発生する熱を、電源装置３０の裏側に配置された発射制御回路６１等にふれないように排出でき、上記発射制御回路６１等の回路や部品に熱を伝えにくくなる。特に、この隙間Ｄを介して下から流れてくる空気で電源装置排熱孔３６から排出される熱が排熱ダクト部分４１にすぐに上昇するので、上記発射制御回路６１等の回路や部品に熱を伝えにくくできる。従って、電源装置６０の裏側に設けられた発射制御回路６１等に悪影響を与えてしまうような事態を回避できるようになる。
また、リアケース２７内において発射制御回路６１等の設置スペースを省略できるので、リアケース２７を小さくでき、また、回路配置レイアウトにおいて、発射制御回路６１等の回路のスペースを考慮しなくてもよくなるので、回路配置レイアウトの自由度が増すという効果が得られるという、上記電源装置３０の裏側３０ｂに発射制御回路６１等の回路や部品を取付けるという構成において、電源装置の過熱も防止でき、安定した電源の供給が行なえるようになる。
尚、以上の板材部分４２を設けたことによる効果は、仮に、電源ケース３３に放熱板３４や空気流入孔３５や電源装置排熱孔３６が設けられていない場合においても得られるものである。即ち、放熱板３４や空気流入孔３５や電源装置排熱孔３６が設けられている場合に比べて効果は小さいかもしれないが、上述の効果は得られる。
【００２５】
上記表面被い部分４３は、上記アウト通路構成部４１Ａより下方に延長して、電源装置３０の表面３０ｆの上部側を被うものである。この表面被い部分４３が電源装置３０の電源ベースプレート３１（電源装置の表面３０ｆ）とリアプレート１０との間に介在された状態で、ねじ２９により上記電源装置３０及び表面被い部分４３がリアプレート１０の電源装置被取付孔部２６に取付けられ、排熱カバー５０も取付けられることになる。これにより、表面被い部４４が電源装置３０の表面３０ｆとリアプレート１０との間に介在しているので、上記電源装置３０からの熱が上記リアプレート１０に伝わりにくくなる。つまり、電源装置３０の熱をリアプレート１０に伝導させるよりも、主に、空冷により電源装置３０を冷却するようにしている。よって、リアプレート１０を介して遊技機に熱を伝えにくくでき、遊技機の温度上昇を抑えることができる。
【００２６】
また、電源装置３０をリアプレート１０、即ち、極力、遊技機の前側（遊技者側）に近い位置に取付けるようにしているので、遊技機の奥行寸法を小さくできる。特に、上述のように、板材部分４２の裏側に発射制御回路６１等の回路や部品を取付けても、遊技機の奥行寸法を小さくできるようになる。
【００２７】
実施の形態１によれば、電源装置３０の上方に空間Ｕを形成する如く配置され、第１排熱孔４１ｂ，第２排熱孔４１ｄを備える排熱ダクト部分４１と、電源装置３０の裏面３０ｂ側を被い、電源装置３０の裏面３０ｂとの間で隙間Ｄを形成し、発射制御回路６１等が取付けられる上記板材部分４２とを備えた排熱手段としての排熱カバー５０を具備するので、上記排熱ダクト部分４１により、電源装置３０が発生する熱を、この電源装置３０より上方のリアケース２７内に設けられた制御回路等にふれないように排出することができ、
また、板材部分４２により、電源装置３０が発生する熱を、電源装置３０の裏側に配置された発射制御回路６１等にふれないように排出でき、発射制御回路６１等の回路や部品に熱を伝えにくくできる。従って、電源装置３０が発生する熱が、制御回路や部品等に悪影響を与えてしまうような事態を回避できるようになる。
また、板材部分４２により、リアケース２７を小さくでき、回路配置レイアウトの自由度が増すという効果が得られるという、電源装置３０の裏側３０ｂに発射制御回路６１等の回路や部品を取付けるという構成において、電源装置３０の過熱も防止でき、安定した電源の供給が行なえるようになる。
また、本実施の形態１では、排熱ダクト部分４１と板材部分４２とが連続している排熱カバー５０を備え、制御回路や部品等が設けられている部分と排熱部分とが排熱カバー５０で遮断されるので、電源装置３０が発生する熱が、制御回路や部品等に悪影響を与えてしまうような事態を回避できるという効果は高い。
【００２８】
尚、遊技機の裏側に設けられた電源装置３０の上方を被い、電源装置３０が発生する熱を、この電源装置３０より上方に設けられた制御回路等にふれないように排出する排熱手段としての排熱ダクト部分４１を備えただけの構成でも、電源装置３０が発生する熱を、電源装置３０より上方に設けられたリアケース２７内の制御回路等にふれないように排出でき、電源装置３０が発生する熱が制御回路や部品等に悪影響を与えてしまうような事態を回避できる。
また、この構成に、上記板材部分４２を備えた構成とすれば、板材部分４２を設けたことによる上述したような効果が得られる。尚、この効果は、板材部分４２を排熱ダクト部分４１より分離して設けるようにした場合でも得られる。
【００２９】
また、遊技機の裏側に設けられた電源装置３０の裏面３０ｂとの間に隙間Ｄを設けて配置され、上記電源装置３０の裏面３０ｂとの間で隙間Ｄを形成する面とは反対側の面に発射制御回路６１等が取付けられる板材部分４２を備えただけの構成でも、板材部分４２を設けたことによる上述したような効果が得られる。
また、この構成に、上記排熱ダクト部分４１を加えた構成とすれば、排熱ダクト部分４１を設けたことによる上述したような効果が得られる。尚、この効果は、排熱ダクト部分４１を板材部分４２より分離して設けるようにした場合でも得られる。
【００３０】
尚、上記第１の排熱孔４１ｂ，第２の排熱孔４１ｄのうち、いずれか一方のみを設けるだけでもよい。
【００３１】
実施の形態２
実施の形態１では、第１の排熱孔４１ｂの裏側外部側に流路４１Ｘを構成する流路構成カバー４１Ｙを設けたが、例えば、フランジ４１ｇを裏側方向に長くして、第１の排熱孔４１ｂを介して排熱される熱がリアケース２７に直接ふれないようにしたり、あるいは、リアケース２７の下側を塞ぐ（密封する）ようにして、第１の排熱孔４２ｂを介して排熱される熱がリアケース２７内に入らないようにすれば、流路構成カバー４１Ｙを設けなくともよい。
【００３２】
実施の形態３
また、図７に示すように、電源装置３０の上方に、電源装置３０より導かれてきた熱を遊技機の一方の側部方向に導いた後に排出口４５より排出する専用の排熱ダクト４０を設けるだけの構成としてもよい。
【００３３】
実施の形態４
また、例えば、図８に示すように、電源装置３０を、遊技機の裏側において左右方向のほぼ中央で、かつ、リアケース２７の下方に取付けるようにして、電源装置３０の上方に、電源装置３０より導かれてきた熱を遊技機の裏側方向に導いた後に排出口４６より排出する専用の排熱ダクト４０Ａを設けるだけの構成としてもよい。尚、図７，８において（ａ）は裏面図、（ｂ）は側面図である。
【００３４】
実施の形態２〜４においても、電源装置３０が発生する熱を、この電源装置３０より上方のリアケース２７内に設けられた制御回路等にふれないように排出することができ、従って、電源装置３０が発生する熱が、制御回路や部品等に悪影響を与えてしまうような事態を回避できるようになる。
尚、実施の形態３，４の構成に加えて、上記板材部分４２に相当する板材を設けるようにすれば、板材部分４２を設けたことによる上述したような効果が得られることはいうまでもない。
【００３５】
実施の形態５
尚、遊技機の裏側においてリアケース２７の下側に電源装置３０を設けるようにして、上述したような排熱カバー５０を設けずに、リアケース２７の下側を塞ぐ（密封する）ようにするだけでもよい。これによれば、リアケース２７そのものが排熱手段として機能し、リアケース２７内に設けられた制御回路等にふれないよう熱を排出することができる。従って、実施の形態５によっても、電源装置３０が発生する熱が、制御回路や部品等に悪影響を与えてしまうような事態を回避できるようになるという効果が得られる。。
【００３６】
【発明の効果】
本発明によれば、遊技機の裏側に設けられて島側から供給される交流電圧を複数種の直流電圧に変換する電源装置と、上記電源装置の上方に位置するように遊技機の裏側に設けられた制御回路と、上記電源装置が交流電圧を複数種の直流電圧に変換する際に発生する熱を上記制御回路にふれないように排出する排熱手段とを備え、上記電源装置は、電源ベースプレートとこの電源ベースプレートに取付けられる蓋ケーシングとからなる電源ケース内に、交流を直流に変換するための交流直流変換部品が実装された回路基板を内蔵しており、遊技機の裏側に取付けられた上記電源装置の上記電源ケースは、下方側に空気流入孔を有するとともに、上部側に排熱孔を有し、上記排熱手段は、遊技機の裏側に取付けられた上記電源装置の上面との間に空間を形成する如く上記電源装置の上方側を被うように設けられた排熱ダクトを備え、上記排熱ダクトは、遊技機の裏側外部に連通する複数の第１の排熱孔と遊技機の一方の側部側の外部に連通する複数の第２の排熱孔とを有し、上記排熱ダクトの上部側の壁は、第２の排熱孔が設けられている一方の側部に向けて上方に傾斜する如く形成されているので、電源装置が発生する熱が、電源装置の上方に設けられた制御回路に悪影響を与えてしまうような事態を回避できるようになる。  
【図面の簡単な説明】
【図１】  本発明の実施の形態１による遊技機の裏側と電源装置の関係を示す斜視図である。
【図２】  実施の形態１における電源装置及び排熱手段としての排熱カバーを取付けた状態をベースプレートの一側部側から見た側面図である。
【図３】  図２の縦断面図（図４のＡ−Ａ断面図に相当）である。
【図４】  図２の部分を遊技機の裏側から見た図である。
【図５】  実施の形態１における遊技機の裏側から見た電源装置と排熱カバーの関係及び空気の流れを示す図である。
【図６】  実施の形態１における排熱カバーの一方の側部付近を示す斜視部である。
【図７】  実施の形態３を説明するためのイメージ図である。
【図８】  実施の形態４を説明するためのイメージ図である。
【符号の説明】
３  前枠、１０  リアプレート、３０  電源装置、３３  電源ケース、
３４  放熱板、３５  空気流入孔、３６  電源装置排熱孔、
４０，４０Ａ  排熱ダクト（排熱手段）、４１  排熱ダクト部分、
４１Ａ  アウト通路構成部（機能構成部品）、４１ｂ  第１の排熱孔、
４１ｄ  第２の排熱孔、４１Ｙａ  流路構成カバー、
４１ｅ，４１ｆ  排熱カバーの一側部側の壁、４２  板材部分（板材）、
４３  表面被い部分（表面被い部）、５０  排熱カバー（排熱手段）、
６１  発射制御回路（制御回路等）、Ｄ  隙間。
【図１】
0004684407.tif 000002
【図２】
0004684407.tif 000003
【図３】
0004684407.tif 000004
【図４】
0004684407.tif 000005
【図５】
0004684407.tif 000006
【図６】
0004684407.tif 000007
【図７】
0004684407.tif 000008
【図８】
0004684407.tif 000009